(57)【要約】【課題】本発明は、非パソコンベースのマルチメディアフォンにおいて、ＩＰやサーバー情報などの煩雑な設定を、使用者の手を煩わせることなく行うことを目的とする。【解決手段】このために、非パソコンベースのマルチメディアフォンにＣＦカードＩ／Ｆを具備し、各種設定情報と自動設定プログラムおよびユーティリティを備えたＣＦカードを、該Ｉ／Ｆに挿入することにより、自動で設定を行うように構成した。【選択図】        図１
2004336347.tif 000002
【特許請求の範囲】
【請求項１】
システムコントローラーと、映像コーデックと、音声コーデックと、映像信号入力手段と、音声信号入力手段と、記憶手段と、通信手段と、操作手段と、画像表示手段と、音声再生手段と、外部記憶手段接続手段を備えたインターンネット電話装置において、
予めインターネットサービスプロバイダ（ＩＳＰ）により、インターネットアクセスを行うための詳細設定が書き込まれた外部記憶手段と、該外部記憶手段接続手段とを接続することにより、利用者の手を煩わせることなく、マルチメディアフォン装置が自動で設定を行う、自動設定手段を備えたことを特徴とする、
マルチメディアフォンシステム。
【請求項２】
請求項１に記載のマルチメディアフォン装置において、
自動設定の際、該外部記憶手段に書き込まれた詳細設定を記憶手段に保存するかどうか、選択できることを特徴とする、
マルチメディアフォンシステム。
【請求項３】
請求項１と請求項２に記載のマルチメディアフォン装置において、
外部記憶手段を外部記憶手段接続手段に接続した状態で、インターネットアクセスを行う場合、インターネットアクセスを行う度に、システムコントローラーは該外部記憶手段接続手段を介し、該外部記憶手段に書き込まれた詳細設定を読み出すことを特徴とし、該外部記憶手段接続手段と該外部記憶手段が接続されていない場合は、インターネットアクセスを行うことを拒否することを特徴とする、
マルチメディアフォンシステム。
【請求項４】
請求項１と請求項２に記載のマルチメディアフォンにおいて、
該外部記憶手段は、コンパクトフラッシュ（登録商標）（ＣＦ）であることを特徴とする、
マルチメディアフォンシステム。
【発明の詳細な説明】
【０００１】
【発明の属する技術分野】
本発明は、ＣＦカードＩ／Ｆを備えたマルチメディアフォンに関する。
【０００２】
【従来の技術】
アメリカでは、既存の通常電話回線を用いたＡＤＳＬ方式のＩＰ常時接続、又、Ｃａｂｌｅを用いた同様のＩＰ常時接続が、一般家庭に普及し、日本でも、同様のサービスの拡大が、今後予想されている。これらのＩＰ常時接続を利用したアプリケーションの一つに、特開平１１−０８８４３８号公報に記載されているようなＶｏＩＰ（Ｖｏｉｃｅ  Ｏｖｅｒ  ＩＰ）なるＩＰ電話がある。これは、マルチメディアフォンとも呼ばれるが、音声をＩＰパケットで、伝送し、通常の電話の機能を持たせたものである。
【０００３】
このＩＰ電話機は、ＩＰ常時接続利用時の固定月額料金の低価格化に伴い、通話料金が低価格の電話として、用途の拡大が予想されている。本方式の電話は、市外通話、国際電話を行う場合でも、上記の月額基本料金以外に掛からないので、効果が顕著である。
【０００４】
該ＩＰ電話は、ＩＰを利用した既存のアプリケーションである、電子メールやＷｅｂブラウズ機能を、追加し、さらには、テレビ電話の機能も持ち、次第に、ＩＰベースのマルチメディアフォンへと発展して行くと想定される。
【０００５】
これらマルチメディアフォンのシステムの実現形態には、２通りあり、第１は、パソコンを利用したもので、パソコンに音声Ｉ／Ｆ、ＬＡＮアダプター（常時接続用モデムの外部Ｉ／Ｆは、ＬＡＮ）を追加し、所定のソフトウエアをインストールするものである。第２の形態は、非パソコンベースの一体型で、音声Ｉ／Ｆ、ＬＡＮ  Ｉ／Ｆは、内蔵されている。
【０００６】
これらのいずれの場合でも、ユーザーが該システムを購入し、設定を行い、実際に使用出来るようになるまでには、所定のステップが必要である。即ち、マルチメディアフォンの基本機能を以下の３つとすると、
１．ＩＰ電話関係の設定
２．Ｗｅｂブラウズの設定
３．電子メールの設定
ユーザーは、それぞれに必要な設定を行う必要がある。
【０００７】
第１のパソコンベースのユーザーは、もともとパソコンでのＬＡＮ設定、電子メール設定などに慣れている場合が多く、又、パソコンのユーザーインターフェースは、設定に際して、十分な情報が表示できるので、一定の知識を有するパソコンユーザーの場合、大きな設定上の問題は、生じにくい。一方、一体型のシステムの場合は、ＬＡＮ、電子メール等に対する技術的知識が少ない一般的なユーザー層である場合が多い。更に、一体型の場合は、ディスプレイの表示能力の限界から、適切なガイダンスも十分に行えない場合が多い。この様な場合、現在行われている従来例になる設定方法では、ユーザーサポートの必要性を増大せしめ、サポートコストの増大を起因する。
【０００８】
図５に、従来例になる購入から設定完了までの流れを示す。
【０００９】
まず、ユーザーは、販売店にて、マルチメディアフォンの購入を行い、次に、ＩＳＰに、サービスの申し込みを行う。ユーザーは申し込み用紙に、利用者名、住所、電話番号、契約サービス内容（ＩＰ電話機を使う場合は、固定ＩＰアドレスが必要）を記入し、ＩＳＰに送付する。申し込み用紙を受け取ったＩＳＰは、ユーザーＩＤ、パスワードを作成する。これらは、通常ランダムに発行される。さらに、ＩＰアドレスをアサインし、これらを、ＩＳＰのサーバー情報と共に、会員証に記載する。即ち、会員証には、
１．ユーザーＩＤ、パスワード（ランダムな英数字）
２．ＩＰアドレス
３．サーバー情報（ＤＮＳサーバー名、プロキシサーバー名、設定用ホームページサーバー名、メールサーバなど）
等が記載されている。
【００１０】
そして、会員証が、インターネットブラウザー設定、電子メール設定やＩＰアドレスの設定方法が記載された説明書と共に、ユーザーに送付される。ユーザーは、該説明書と会員証をもとに、購入したマルチメディアフォンの設定を行う。
【００１１】
パソコンベースのシステムでは、これらの設定の内、サーバー情報などのユーザー共通の情報は、例えば、ＣＤなどで、ユーザーに供給される場合があり、其の場合は、ＣＤから所定のプログラムを起動すれば、自動的に設定が為される。しかるに、ユーザー固有の情報であるＩＰアドレスは、ユーザーが、個別に設定の必要があった。また、その設定の際には、ユーザーＩＤ，パスワードが、セキュリティのため、必ず入力を要求される面倒さが有った。また、ＩＳＰの中には、ユーザー確認のための追加情報として、ユーザー端末のＭＡＣアドレスの入力も要求される場合もあり、かなりの設定ステップが存在した。
【００１２】
一方、非パソコンベースのシステムでは、ＣＤドライブが、存在しない場合が多く、ユーザー共通情報の設定を、ＣＤで行うことができない。このため、上記の設定に加え、共通情報部分の設定をも、ユーザーが行う必要があった。このため、さらに、設定には、多くのステップが必要であった。
【００１３】
これらの複雑な設定を、ユーザーが好まない場合は、設定をオンサイトで行う有料サービスも提供されている位である。
【００１４】
図４に、マルチメディアフォンの全体設定手順の従来例になるフロー示す。
【００１５】
図４の各項目の設定内容を、それぞれ、
ＩＳＰ  ＬＡＮへの接続設定は、図３−１、
ブラウザの設定は、図３−２、
ＭＡＣアドレスの登録は、図３−３、
メールアカウントの取得は、図３−４、
電子メールの設定は、図３−５に示す。
【００１６】
同図において、ＩＳＰへの接続設定は、ＴＣＰ／ＩＰとＩＰアドレスの設定を行う（図３−１）。
【００１７】
ブラウザの設定は、スタートページをＩＳＰのホームページに設定、フォントの設定、プロキシサーバーの設定を行う（図３−２）。
【００１８】
ＭＡＣアドレスの登録は、ＩＳＰの設定用ホームページを開き、利用者用のサポートページを開く。ＩＳＰから与えられたユーザーＩＤとパスワードを入力し、ＭＡＣアドレスとＰＣ情報の登録を行う（図３−３）。
【００１９】
電子メールアカウントの取得は、ＩＳＰの設定用ホームページを開き、メールアカウント発行のページを開く。希望のアカウント名とパスワードを入力し、登録を行う（図３−４）。
【００２０】
電子メールの設定は、電子メールソフトを起動し、電子メールサーバ名を入力し、アカウント名とパスワードを入力し、設定を行う（図３−５）。
【００２１】
以上のように、マルチメディアフォンの購入から、使用開始まで、非常に多くのステップを要し、ユーザーに対して、過大な負荷を与えていた。又、メーカーとしても、ユーザーからの質問等、サポートの負荷が、多く、大きな問題となる。
【００２２】
【特許文献】
特開平１１−０８８４３８号公報
【００２３】
【発明が解決しようとする課題】
上述の如く、従来例のマルチメディアフォンは、利用者が自分で設定を行わなければならない項目が過大のため、特に、コンピュータの知識がない人には、設定がとても難しかった。さらに、また、細かい設定項目が多いため、入力ミスを行う可能性があり、確実にサーバーに接続できない可能性があった。
【００２４】
本発明は、このような事情に鑑みて提案されたものであり、マルチメディアフォン購入後のユーザー設定の手間の軽減、さらには、データの保存・管理を出来る様にする事である。
【００２５】
【課題を解決するための手段】
マルチメディアフォンは、システムコントローラーと、映像コーデックと、音声コーデックと、映像信号入力手段と、音声信号入力手段と、記憶手段と、通信手段と、操作手段と、画像表示手段と、音声再生手段と、外部記憶手段接続手段を備える。
【００２６】
また、ＣＦカードは、自動設定プログラム、ＭＡＣアドレス入手・保存ユーティリティを備える。
【００２７】
また、マルチメディアフォンを設定する過程を、以下に示す。
【００２８】
利用者は販売店にて、マルチメディアフォンを購入し、ＩＳＰにサービスの申し込みを行う。利用者は、利用者名、住所、電話番号、製品番号、ＣＦカードパスワードをＩＳＰに通知する。通知を受けたＩＳＰは、その情報をもとに、該利用者に対し、ユーザーＩＤ、パスワード、サーバー情報、ＩＰアドレスなどを割り当て、これをＣＦカードに保存し、利用者に送付する。利用者が、ＣＦカードをマルチメディアフォンに挿入することにより、自動設定プログラムが起動する。自動設定プログラムは、ＣＦカードパスワード入力を求め、合っていれば、自動設定を行う。
【００２９】
【発明の実施の形態】
図１は、マルチメディアフォンの構成の１例を示したものである。
【００３０】
マルチメディアフォンは、システムコントローラー１０、記憶手段１１、映像コーデック１２、音声コーデック１３、画像表示手段１４、映像信号入力手段１５、音声再生手段１６、音声信号入力手段１７、通信手段１８、外部記憶手段接続手段１９、外部記憶手段２０とで構成されている。外部記憶手段２０は、ＣＦカードを示す。読み書き可能なメディアであれば、ＦＤ、スマートメディアなどでもよい。
【００３１】
本発明は、ＩＰアドレス、インターネットブラウズ設定情報、電子メール設定情報、接続設定情報を記憶してあるＣＦカードを用いることによって、利用者は設定を行わなくてよい。また設定情報は、予めＣＦカード内に記憶されているため、確実にサーバーに接続することができる。
【００３２】
例えば、マルチメディアフォンを利用者が購入した場合、利用者はハガキ、電話、ＦＡＸ、電子メール、インターネットサイトなどにより、販売店又は製造者、ＩＳＰにマルチメディアフォンを購入したということを伝える。その際、利用者は販売店又は製造者、ＩＳＰに、利用者名、電話番号、住所、製品番号（ＭＡＣアドレス）などの個人情報を一緒に伝える。通知を受けた販売店又は、製造者は、ＩＳＰに通知された内容を伝え、ＩＳＰはその情報をもとに、ＩＰアドレス、インターネットブラウズ設定、電子メール設定、接続設定を行い、ＣＦカードに保存する。利用者がＩＳＰに直接、個人情報を通知した場合は、販売店又は、製造者を介さなくてよい。例えば、接続設定は、住所より、一番近いアクセスポイントを設定する。インターネットブラウズ設定や電子メール設定は、プロキシや電子メールサーバを設定する。メールアカウントやメールパスワードは、アカウントの重複、セキュリティにより、製造者又はＩＳＰで設定することができないため、利用者が設定を行う必要がある。設定情報が記憶されたＣＦカードは利用者に配送される。利用者はＣＦカードを挿入することにより、手軽にマルチメディアフォンを利用することができる。マルチメディアフォンを利用するまでの流れを、図６に示す。
【００３３】
上記の説明において、ＣＦカードの設定を、ＩＳＰが行う場合と、販売店又は、製造者が行う場合において、詳しく説明する。
【００３４】
以下は、ＣＦカードの設定をＩＳＰが行う場合である（図７−１）。
【００３５】
利用者がマルチメディアフォンを購入した際、利用者は、利用者名、住所、電話番号、製品番号をＩＳＰに通知する（Ｓｔｅｐ１）。通知する方法は、郵送、電話、ＦＡＸ、電子メールなどでもよい。通知を受けたＩＳＰは、前記情報をもとに、該利用者に対し、ユーザーＩＤ、パスワード、サーバー情報、ＩＰアドレスなどを割り当て（Ｓｔｅｐ２）、ＣＦカードに入力し（Ｓｔｅｐ３）、利用者に送付する（Ｓｔｅｐ４）。利用者は購入したマルチメディアフォンにＣＦカードを挿入する（Ｓｔｅｐ５）。マルチメディアフォンは、ＣＦカードの自動設定プログラムを起動する。（Ｓｔｅｐ６）
以下は、ＣＦカードの設定を製造者が行う場合である（図７−２）。
【００３６】
利用者がマルチメディアフォンを購入した際、利用者は、利用者名、住所、電話番号、製品番号を、製造者に通知する（Ｓｔｅｐ１）。通知する方法は、郵送でもよいし、電話、ＦＡＸ、電子メールでもよい。通知を受けた製造者は、利用者から通知された情報を、ＩＳＰに電子メールにて転送する（Ｓｔｅｐ２）。転送の方法は、郵送、電話、ＦＡＸなどでもよい。転送を受けたＩＳＰは、該利用者に対して、ユーザーＩＤ、パスワード、サーバー情報、ＩＰアドレスなどを割り当て、これらの情報を製造者に返信する（Ｓｔｅｐ３）。製造者は、返信された情報と前記個人情報をＣＦカードに所定のフォーマットで入力し、入力後、利用者が入力した設定カード用パスワードをイネーブルにする（Ｓｔｅｐ４）。ＣＦカードは利用者に送付され（Ｓｔｅｐ５）、利用者は購入したマルチメディアフォンにＣＦカードを挿入する（Ｓｔｅｐ６）。マルチメディアフォンは、ＣＦカードの自動設定プログラムを起動する（Ｓｔｅｐ７）。
【００３７】
ＣＦカードの設定を、販売店が行う場合は、製造者が行う業務を、販売店が代行するのみで、図７−２のフローと同じ流れとなる。
【００３８】
また、ＣＦカードの設定をＩＳＰが行う場合において、販売店が利用者との窓口となり、利用者から通知された個人情報を、販売店が製造者に通知し、製造者がＩＳＰに通知する、という流れでもよい。その場合、ＩＳＰで設定されたＣＦカードは、製造者に送付され、製造者は販売店に送付し、販売店から利用者に送付される。
【００３９】
また、ＣＦカードの設定を製造者が行う場合において、販売店が利用者との窓口となり、利用者から通知された個人情報を、販売店が製造者に通知する、という流れでもよい。その場合、製造者で設定されたＣＦカードは、販売店へ送付され、販売店から利用者に送付される。
【００４０】
ＣＦカードの設定を、ＩＳＰが行うメリットは、購入してから、短時間で、マルチメディアフォンを利用することができる、ということである。販売店や製造者を介さず、利用者が直接、ＩＳＰに個人情報を通知することにより、個人情報がＩＳＰに通知されるまでの時間を短縮することができる。また、ＣＦカードの設定後、利用者に返送する際においても、ＩＳＰが直接、利用者に返送することができるため、販売店や製造者を介す時間を短縮することができる。これにより、利用者は、購入時から短時間で、マルチメディアフォンを利用することができる。
【００４１】
ＣＦカードの設定を、販売店が行うメリットは、利用者がマルチメディアフォンを購入した際、その場で、サービスの申し込みを行うことができる、ということである。個人情報を、その場で販売店に通知することができるため、後に、改めて、通知する手間を省くことができる。
【００４２】
ＣＦカードの設定を、製造者が行うメリットは、利用者に信頼感を持たせることができる、ということである。製造者と、サービス会社が同じ会社であるため、サービスに対しても、開発メーカーに抱いている信頼感と同じ信頼感を、利用者に与えることができる。
【００４３】
以上のように、ユーザー情報、サーバー情報、ＩＰの設定が済んだＣＦカードを用いて、ユーザーがマルチメディアフォンを利用できるまでのフローを図２を用いて説明する。
【００４４】
利用者がＣＦカードを用いてマルチメディアフォンを利用するには、まず、利用者はＣＦカードをマルチメディアフォンに挿入する（Ｓｔｅｐ１）。マルチメディアフォンは、ＣＦカード内の設定情報を読み込んだ後（Ｓｔｅｐ２）、ネットワークに接続する（Ｓｔｅｐ３）。正常に接続できたことを確認した後、利用者は、ＣＦカードに保存された設定情報を、記憶手段１１に保存するかどうかを選択する（Ｓｔｅｐ４）。記憶手段１１に保存する、を選択した場合は、まず利用者の領域を作成し（Ｓｔｅｐ５）、その中に設定情報を保存する（Ｓｔｅｐ６）。これにより、設定情報を利用する場合、記憶手段１１から設定情報を読み出すことができるため（Ｓｔｅｐ７）、ＣＦカードを挿入する手間や、アクセス時間を短縮することができる。記憶手段１１に保存しない、を選択した場合は、マルチメディアフォンを利用するときは常に、ＣＦカードを挿入しなければならない（Ｓｔｅｐ８）。次に、メールアドレスとメールパスワードの設定を行う。入力画面から希望のアカウントを入力し（Ｓｔｅｐ１０）、登録ボタンを押す。マルチメディアフォンは、プロバイダのデータベースをチェックし（Ｓｔｅｐ１１，１２）、重複していなければ、利用者のアカウントが確定される。もしアカウントが重複していた場合は、再度利用者に、アカウントの入力（Ｓｔｅｐ１０）を促し、アカウントが確定するまで、この処理は行われる。利用者は次にパスワードを入力し（Ｓｔｅｐ１３）、設定が完了する（Ｓｔｅｐ１４）。メールアカウントとメールパスワードはＣＦカードに保存される（Ｓｔｅｐ１５）。
【００４５】
また、ＣＦカードの取り外しを行うことにより、ＣＦカードを個人で管理することができるため、セキュリティを高めることができる。
【００４６】
例えば、１つのマルチメディアフォンに対し、父親と母親の２名の利用者がいた場合、父親用、母親用の２枚のＣＦカードを用意する。そして、電子メールアドレスやパスワードなど、個々に行った設定をそれぞれのＣＦカードに保存することにより、セキュリティを高めることができる。もちろん、ＩＰアドレス、インターネットブラウズ設定情報、電子メール設定情報、接続設定情報もＣＦカード内に保存されているが、これらの情報は、父親と母親は共通である。
【００４７】
また、マルチメディアフォンを買い変えた際、設定情報や電子メールアドレス、ウェブサイトの登録などの個人情報はＣＦカード内に保存されているため、ＣＦカードを既存のマルチメディアフォンから新しいマルチメディアフォンに差し替えるだけで、今までと同じ設定のもとで利用することができる。
【００４８】
例えば、マルチメディアフォンの新しいバージョンが出て、利用者が買い変えたとする。その場合、利用者は今までのマルチメディアフォンから、ＣＦカードを抜き、新しく購入したマルチメディアフォンにＣＦカードを挿入する。この操作を行うだけで、利用者はすぐに、電話機能、インターネットブラウズ機能、電子メール機能を利用することができる。
【００４９】
また、製造者又はＩＳＰは、マルチメディアフォンのシリアル番号やＭＡＣアドレスを利用者の個人情報と合わせて管理する。そのため、利用者がＣＦカードを破損又は、紛失してしまった場合、シリアル番号やＭＡＣアドレスと共に、利用者名、住所、電話番号などを伝えれば、ユーザー確認を行うことができるため、以前設定された設定情報が保存されたＣＦカードを、再度、配送してもらうことができる。
【００５０】
【発明の効果】
以上の説明から理解されるように、本発明の請求項１に記載のマルチメディアフォンシステムでは、ＣＦカードを備えることにより、利用者が設定を行う手間の軽減、データの保存、ユーザー管理を行うことができる。
【図面の簡単な説明】
【図１】本発明に係るマルチメディアフォンの構成の一例を示すブロック図である。
【図２】本発明に係るマルチメディアフォンにおける、メールアカウントとメールパスワードの設定を示す、フローチャートである。
【図３】（３−１）は、従来のマルチメディアフォンにおける、接続設定を示す、フローチャートである。
（３−２）は、従来のマルチメディアフォンにおける、ブラウザ設定を示す、フローチャートである。
（３−３）は、従来のマルチメディアフォンにおける、ＭＡＣアドレスの登録を示す、フローチャートである。
（３−４）は、従来のマルチメディアフォンにおける、メールアカウント取得を示す、フローチャートである。
（３−５）は、従来の係るマルチメディアフォンにおける、電子メール設定を示す、フローチャートである。
【図４】従来のマルチメディアフォンにおける、設定手順を示す、フローチャートである。
【図５】従来のマルチメディアフォンにおける、サービスを開始するまでのインターネットサービスプロバイダと利用者とのやりとりを示す、図である。
【図６】本発明に係るマルチメディアフォンにおける、サービスを開始するまでのインターネットサービスプロバイダと利用者とのやりとりを示す、図である。
【図７】（７−１）は、本発明に係るマルチメディアフォンにおいて、ＩＳＰがＣＦカードを設定する場合の、フローチャートである。
（７−２）は、本発明に係るマルチメディアフォンにおいて、製造者がＣＦカードを設定する場合の、フローチャートである。
【符号の説明】
１０  システムコントローラー
１１  記憶手段
１２  映像コーデック
１３  音声コーデック
１４  画像表示手段
１５  映像信号入力手段
１６  音声再生手段
１７  音声信号入力手段
１８  通信手段
１９  外部記憶手段接続手段
【図１】
2004336347.tif 000003
【図２】
2004336347.tif 000004
【図３】
2004336347.tif 000005
【図４】
2004336347.tif 000006
【図５】
2004336347.tif 000007
【図６】
2004336347.tif 000008
【図７】
2004336347.tif 000009